(57)【要約】【課題】収納した物品に上部エバポレータから融解水が滴下することなく、収納室の温度を調節する。【解決手段】冷蔵ショーケースは、収納室１４の上方に設けた上部エバポレータ４０および収納室１４の下部に設けた下部エバポレータ４２を、冷却装置に接続した冷却回路５０を備える。上部エバポレータ４０および下部エバポレータ４２は、冷却装置に並列に接続される。下部エバポレータ４２の上流側の第２径路Ｒ２に、下部エバポレータ４２に対する冷媒の供給または遮断する電磁弁ＳＶが設けられる。冷却運転に際して、上部エバポレータ４０による冷却は常に実施され、収納室１４の温度の低下を温度検知手段Ｔｈが検知すると、電磁弁ＳＶを閉成して下部エバポレータ４２による冷却を停止すると共に、収納室１４の温度の上昇を温度検知手段Ｔｈが検知すると電磁弁ＳＶを開放して下部エバポレータ４２により収納室１４を冷却して温度調節する。【選択図】図２
2005300108.tif 000002
【特許請求の範囲】
【請求項１】
物品の収納室(14)の上方に設けた上部エバポレータ(40)と、該収納室(14)の下部に設けた下部エバポレータ(42)とを冷却系(CM,CD,EV1,EV2)に接続し、この冷却系(CM,CD,EV1,EV2)から両エバポレータ(40,42)に冷媒を循環供給して前記収納室(14)を冷却する冷蔵ショーケースにおいて、
前記上部エバポレータ(40)および下部エバポレータ(42)を、前記冷却系(CM,CD,EV1,EV2)に並列に接続すると共に、該下部エバポレータ(42)が冷却系(CM,CD,EV1,EV2)に接続する冷媒供給管路(R2)に管路開閉手段(SV)を設け、
前記上部エバポレータ(40)への冷媒の供給を継続した状態で、前記管路開閉手段(SV)を開閉動作させて、前記下部エバポレータ(42)に対する冷媒の供給または遮断を行なうよう構成した
ことを特徴とする冷蔵ショーケース。
【請求項２】
前記管路開閉手段(SV)は、前記収納室(14)の温度を検知する温度検知手段(Th)の検知温度に応じて自動的に作動するようにした請求項１記載の冷蔵ショーケース。
【発明の詳細な説明】
【技術分野】
【０００１】
この発明は、飲食店等のカウンタに設置されて、収納した物品を展示しつつ冷蔵保存する冷蔵ショーケースに関し、更に詳細には、収納室の上部および下部に配設したエバポレータにより収納室を冷却するよう構成した冷蔵ショーケースに関するものである。
【背景技術】
【０００２】
食品や飲料品等の物品を冷蔵保存する冷蔵ショーケースとしては、例えば寿司屋等のカウンタに設置され、客に収納した寿司ネタ等の生鮮食材を展示しながら冷蔵保存するネタケースと呼ばれるものがある(特許文献１参照)。例えば図３に示すように、冷蔵ショーケース１０は、物品を冷蔵保存する収納室１４と、この収納室１４を冷却するための図示しない圧縮機や凝縮器等の冷却装置(冷却系)が配設される機械室１６とが隣接して設けられている。前記収納室１４は、上部、側部および底部が断熱構造とされた断熱箱体１２の内部に画成されると共に、その前部にはガラスカバー３０が嵌め込まれ、該収納室１４の内部が前面から見えるようになっている。そして、前記断熱箱体１２の背面側には、収納室１４に対する物品出入口３１が開設される共に、該物品出入口３１にはスライド扉３２,３２がスライド自在に取付けられ、該スライド扉３２,３２を左右方向にスライドして物品出入口３１を開放することで、収納室１４に対する物品の出し入れを許容するよう構成されている(図４参照)。
【０００３】
図４に示すように、前記収納室１４の上部には、前記冷却装置に接続する上部エバポレータ４０が収納室１４内に露出して配設され、冷却装置から冷媒を循環供給することで、直接的に収納室１４を冷却している。また、前記収納室１４の底面を構成する底板２４における断熱材１８側に臨む外底面には、前記上部エバポレータ４０と連通接続する下部エバポレータ４２が密着するよう蛇行配設され、この下部エバポレータ４２に冷媒を循環供給することで、該底板２４を冷却して間接的に収納室１４を冷却するようになっている。このように、前記収納室１４に陳列された物品は、上下の両方向から冷却されるようになっている。すなわち、前記冷蔵ショーケース１０の冷却回路２０は、図５に示すように、圧縮機ＣＭで圧縮された気化冷媒が、下流に位置する凝縮器ＣＤでファンモータＦＭにより冷却されて凝縮液化し、ドライヤ(水分除去器)４４を経由して膨張弁ＥＶで減圧された液化冷媒が上部エバポレータ４０および下部エバポレータ４２で低温の気化冷媒となることで前記収納室１４を冷却し、再び圧縮機ＣＭに帰還するサイクルを構成している。ここで、冷却回路２０を構成する各機器間は冷媒配管４６で接続されると共に、上部エバポレータ４０と下部エバポレータ４２とは直列に接続されている。なお、前記冷却回路２０では、ドライヤ４４から膨張弁ＥＶに向かう冷媒配管４６と、両エバポレータ４０,４２から圧縮機ＣＭに向かう冷媒配管４６とをある区間だけ近接させて熱交換し、ドライヤ４４から膨張弁ＥＶに向けて流れる液化冷媒を、エバポレータ４０,４２から流出してくる比較的低温の気化冷媒で冷却することで、該冷却回路２０の冷却効率を向上させている。
【０００４】
前記冷蔵ショーケース１０は、収納した物品や外気温に合わせて使用者が調節した所定温度(設定温度)まで収納室１４を冷却するよう構成され、外気温の変動またはスライド扉３２,３２の開閉による収納室１４の温度変化に対応して自動的に温度調節することで、該収納室１４は設定温度に保持される。前記収納室１４の温度調節の方法としては、該収納室１４の温度が設定温度より高い場合に、前記圧縮機ＣＭを駆動して、両エバポレータ４０,４２に対して冷媒を循環供給して収納室１４を冷却し、一方、収納室１４の温度が設定温度より低い場合は、圧縮機ＣＭを停止して冷媒の循環を停止することで、収納室１４の過冷却を防止するものがある。ここで、前記収納室１４に露出して配設された上部エバポレータ４０には、冷却運転に伴い収納室雰囲気中の湿り分が露となって該上部エバポレータ４０に付着して、これが冷却運転の進行につれて氷結して霜になって上部エバポレータ４０の表面を覆っている。すなわち、温度調節のために冷却運転を停止すると、前記上部エバポレータ４０に付着していた霜が融解して、収納された物品に融解水が滴下してしまう虞れがある。
【特許文献１】特開２０００−１３９６３３号公報
【発明の開示】
【発明が解決しようとする課題】
【０００５】
そこで、前記収納室１４の温度に拘らず、前記圧縮機ＣＭを連続運転するよう制御すると共に、前記膨張弁ＥＶとして定圧膨張弁を使用して冷媒の流量を調節することで、外気温等が変化しても収納室１４を設定温度に保持し得るようにした温度調節の方法もある。しかし、この定圧膨張弁を用いた温度調節方法では、両エバポレータ４０,４２の圧力に応じて膨張弁ＥＶを開閉するので外気温の大きな変化に対して追従できなくなる。例えば、前記収納室１４の設定温度を低温域に調節しておくと、外気温が高温になった際でも収納した物品を好適に冷却することはできるが、外気温が下降した際には、収納室１４の温度が下がり過ぎて物品を過冷却してしまい、該物品を凍結等により損ねてしまう虞れがある。これに対し、収納室１４の設定温度を高温域に設定しておくと、外気温が上昇した際に収納した物品を充分に冷却することができず、該物品の劣化が早まる不都合が指摘される。すなわち、使用者が外気温に応じて、収納室１４の温度調節を頻繁に実施する必要があり、煩雑であった。
【０００６】
また、特許文献１に開示された冷蔵ショーケース１０の如く、上部エバポレータ４０の下方に融解水を受容する水滴受け皿７０を設け、収納した物品に融解水が滴下しないよう構成したものが提案されている。しかし、前記水滴受け皿７０を設けることで、この水滴受け皿７０がガラスカバー３０を介して採り入れられている光を阻むと共に視認性を悪化させ、収納した物品の展示性を損うばかりでなく、上部エバポレータ４０で熱交換して冷気となった収納室内雰囲気の循環を妨げ、冷却効率を低下させてしまう弊害がある。また、前記収納室１４の室内スペースの減少や水滴受け皿７０の清掃が煩雑である等の不都合も指摘される。
【０００７】
すなわちこの発明は、従来の技術に係る冷蔵ショーケースに内在する前記問題に鑑み、これらを好適に解決するべく提案されたものであって、収納した物品に上部エバポレータから融解水が滴下することがなく、かつ好適に収納室の温度調節を行ない得る冷蔵ショーケースを提供することを目的とする。
【課題を解決するための手段】
【０００８】
前記課題を克服し、所期の目的を達成するため、本発明に係る冷蔵ショーケースは、
物品の収納室の上方に設けた上部エバポレータと、該収納室の下部に設けた下部エバポレータとを冷却系に接続し、この冷却系から両エバポレータに冷媒を循環供給して前記収納室を冷却する冷蔵ショーケースにおいて、
前記上部エバポレータおよび下部エバポレータを、前記冷却系に並列に接続すると共に、該下部エバポレータが冷却系に接続する冷媒供給管路に管路開閉手段を設け、
前記上部エバポレータへの冷媒の供給を継続した状態で、前記管路開閉手段を開閉動作させて、前記下部エバポレータに対する冷媒の供給または遮断を行なうよう構成したことを特徴とする。
【発明の効果】
【０００９】
本発明に係る冷蔵ショーケースによれば、上部エバポレータおよび下部エバポレータを、冷却系に並列に接続すると共に、下部エバポレータに対する冷媒の供給または遮断するよう開閉動作する管路開閉手段を、該下部エバポレータへの冷媒供給管路に設けたので、下部エバポレータへの冷媒の供給および供給停止の制御を行なっている間であっても、上部エバポレータには冷媒が常時供給されているから、その冷却状態が途切れることがなく、上部エバポレータに付着した霜が融解して収納した物品を汚損することはない。また管路開閉手段を、収納室の温度を検知する温度検知手段の検知温度に応じて自動的に動作するようにしたので、冷却運転に際しては、収納室の温度が所定温度より低下したことを温度検知手段が検知すると、管路開閉手段を閉成して下部エバポレータによる冷却を停止し、収納室の温度が所定温度より上昇したことを温度検知手段が検知すると管路開閉手段を開放して下部エバポレータによる収納室の冷却を再開することで、収納室の温度調節を自動的に行なうことができる。更に、収納室の温度が設定温度より高い場合は、両エバポレータで冷却することで、迅速に収納室を温度降下することができ、収納した物品の劣化を抑制し得ると共に、収納室の温度が所定温度より低い場合は、下部エバポレータを停止し、上部エバポレータのみで冷却することで、収納した物品の過冷却に起因する凍結等の不具合を回避し、収納室の温度を一定に維持し得る効率のよい冷却運転を実施できる。しかも、上部エバポレータから融解水が滴下しないから、水滴受け皿を設ける必要がなく、収納室に収納した物品の展示性を損ったり、冷気の循環が阻害されて冷却効率が低下したり、室内スペースが減少する等の不都合を生じない。
【発明を実施するための最良の形態】
【００１０】
次に、本発明に係る冷蔵ショーケースにつき、好適な実施例を挙げて、添付図面を参照して以下に説明する。なお、説明の便宜上、図３〜図５に示した冷蔵ショーケースの構成要素と同一の要素については、同一の符号を使用して詳細な説明は省略する。
【実施例】
【００１１】
図１に示すように、実施例に係る冷蔵ショーケース１１において、生鮮食材や飲料等の物品を冷蔵保存する収納室１４は、内箱２２と外箱２６の間にウレタンフォーム等の断熱材１８を充填した断熱箱体１２に内部画成されている。そして、前記収納室１４の前側、すなわちカウンタ等に冷蔵ショーケース１１を載置した際に客先に臨む断熱箱体１２の前側には、透明な複層ガラスからなるガラスカバー３０が嵌め込まれて、収納室１４に収納されている物品を前方から確認することができるようになっている。これに対し、前記断熱箱体１２の背面側には、物品出入口３１が開設されると共に、この物品出入口３１は、上下をレール３４,３５で保持されたスライド扉３２,３２が左右方向にスライド自在に配設され、該物品出入口３１を開閉可能に構成してある。前記収納室１４の底面は、前記スライド扉３２側からガラスカバー３０側に向けて下方傾斜され、該底面に載置された簀の子等の台座(図示せず)の上に物品が陳列され、収納した物品を前側から見易くしている。そして、前記底面の傾斜下端(ガラスカバー３０)側には排水口３６が設けられ、この排水口３６に接続した排水管３８を介して、収納室１４内に溜った水を冷蔵ショーケース１１外に排出するようになっている。
【００１２】
前記収納室１４を冷却する冷却装置(冷却系)は、前記断熱箱体１２と隣接して一体的に配設されたキャビネットに内部画成した機械室１６に配設され、圧縮機ＣＭ、凝縮器ＣＤ、ファンモータＦＭおよび膨張弁ＥＶ１,ＥＶ２等から構成される(図２参照)。前記収納室１４の上部には、前記冷却装置に接続する上部エバポレータ４０が幅方向に延在して蛇行状に配設され、該上部エバポレータ４０に冷媒を循環供給することで、収納室内雰囲気を冷却して直接的に収納室１４を冷却している。また、前記収納室１４の底面を構成する底板２４における断熱材１８側に臨む外底面には、前記冷却装置に接続する下部エバポレータ４２が密着するよう蛇行状に配設され、該下部エバポレータ４２に冷媒を循環供給することで、該底板２４を冷却して間接的に収納室１４を冷却するようになっている。このように、前記収納室１４に陳列された物品は、冷却運転に際して、前記収納室１４の上下に配設された両エバポレータ４０,４２で、上下両方向から冷却されるよう構成される。
【００１３】
前記冷蔵ショーケース１１には、前記収納室１４内の温度を検知して後述する管路開閉手段としての電磁弁ＳＶを開閉制御するためのサーモスタット等の温度検知手段Ｔｈが配設されている。電気回路的に説明すると、例えば電磁弁ＳＶと該回路上において直列に配置されている温度検知手段Ｔｈの接点が、設定温度の検知に伴って閉成され、電磁弁ＳＶに通電することで、電磁弁ＳＶのコイルに電気が流れて管路を開放していたプランジャーが管路を閉成して、冷媒の流通を遮断するようになっている。また、温度検知手段Ｔｈの取付け位置としては、これが収納室１４の内側に大きく突出して邪魔にならず、該収納室１４以外の温度の影響を受け難い位置であれば特に限定されない。更に前記機械室１６には、その内部に冷却装置の運転制御をする電装部(図示せず)が配設され、前記温度検知手段Ｔｈの所定温度(設定温度)の検知結果に基づいて、前記電磁弁ＳＶを自動的に開閉制御すると共に、コントロールパネル(図示せず)に設けた運転スイッチの操作により冷却装置を構成する各機器を運転するよう制御している。なお、前記コントロールパネルには、前記温度検知手段Ｔｈの設定温度を調節する操作部も設けられている。
【００１４】
図２に示すように、実施例の冷蔵ショーケース１１には、前記機械室１６に配設された圧縮機ＣＭ、凝縮器ＣＤ、ファンモータＦＭ、ドライヤ(水分除去器)４４、第１膨張弁ＥＶ１、第２膨張弁ＥＶ２および電磁弁ＳＶ等の冷却装置と、前記収納室１４側に設けられた上部エバポレータ４０および下部エバポレータ４２とからなり、各機器を冷媒配管４６で連通接続することで、冷媒が循環し得るようにした冷却回路５０が構成されている。すなわち冷却回路５０において、圧縮機ＣＭで圧縮された気化冷媒を、冷媒配管４６を介して凝縮器ＣＤで凝縮液化し、ドライヤ４４で冷媒中に含まれる水分を除去した後、第１膨張弁ＥＶ１および第２膨張弁ＥＶ２の夫々で減圧し、前記上部エバポレータ４０および下部エバポレータ４２中で一挙に夫々膨張して蒸発することにより、両エバポレータ４０,４２が強制冷却され、前記収納室１４と熱交換を行なって該収納室１４を冷却させるようになっている。そして、前記上部エバポレータ４０および下部エバポレータ４２で蒸発した気化冷媒は、冷媒配管４６を経て圧縮機ＣＭに帰還するサイクルを繰り返すよう構成される。なお、図中の符号ＦＭは、冷却運転時に運転されて凝縮器ＣＤを空冷するファンモータを示す。
【００１５】
前記冷却回路５０において、前記上部エバポレータ４０および下部エバポレータ４２は、冷却装置に並列に接続され、その上流側(冷媒流通方向の上流側)の夫々に対応して膨張弁ＥＶ１,ＥＶ２を備えている(図２参照)。具体的には、前記ドライヤ４４の下流側で冷媒配管４６は分岐して、上部エバポレータ４０に接続する第１径路Ｒ１と、下部エバポレータ４２に接続する第２径路(冷媒供給管路)Ｒ２とに別れている。そして、前記第１径路Ｒ１に第１膨張弁ＥＶ１が配設され、圧縮機ＣＭが駆動している状態(冷蔵ショーケース１１の冷却運転時)では、常に冷媒が第１膨張弁ＥＶ１を介して上部エバポレータ４０に供給されている。これに対して、前記第２径路Ｒ２には、上流側から電磁弁ＳＶおよび第２膨張弁ＥＶ２が配設され、圧縮機ＣＭが駆動している状態では、冷媒が電磁弁ＳＶおよび第２膨張弁ＥＶ２を介して下部エバポレータ４２に供給されるようになっている。前記電磁弁ＳＶは、前記温度検知手段Ｔｈによる収納室１４の温度検知に基づいて自動的に開閉制御される。すなわち、収納室１４の温度が設定温度より高い場合は、電磁弁ＳＶが開放して第２径路Ｒ２への冷媒の循環を許容すると共に、該収納室１４の温度が設定温度より低い場合は、電磁弁ＳＶが閉成して第２径路Ｒ２への冷媒の循環を遮断するよう構成される。そして、前記上部エバポレータ４０および下部エバポレータ４２の吐出側に接続した冷媒配管４６,４６は、前記圧縮機ＣＭの上流側において再び合流して、両エバポレータ４０,４２で熱交換した気化冷媒が圧縮機ＣＭに流入するようになっている。従って、前記冷蔵ショーケース１１では、冷却運転中は上部エバポレータ４０による収納室１４の冷却は常時なされ、温度検知手段Ｔｈの温度検知に基づく電磁弁ＳＶの開閉動作による前記下部エバポレータ４２の冷却状態のＯＮ,ＯＦＦにより、該収納室１４の温度調節を実施し得るよう構成される。
【００１６】
〔実施例の作用〕
次に、実施例に係る冷蔵ショーケースの作用について説明する。前記冷蔵ショーケース１１は、前記コントロールパネルの運転スイッチがＯＮされると、前記圧縮機ＣＭを駆動して、前記冷却回路５０に冷媒の循環を開始する。同時に、前記ファンモータＦＭが回転駆動され、前記凝縮器ＣＤを空冷し始める。そして、前記上部エバポレータ４０および下部エバポレータ４２に供給された気化冷媒により強制冷却された両エバポレータ４０,４２との熱交換によって、次第に前記収納室１４が冷却される。なお、前記コントロールパネルにおける温度検知手段Ｔｈを調節する操作部で、前記収納室１４に収納される物品や外気温に応じて、設定温度が予め調節してある。
【００１７】
冷却運転が進行して、前記収納室１４の温度が設定温度に到来して更に下降すると、前記温度検知手段Ｔｈが設定温度より下降したことを検知し、この温度検知に基づいて第２径路Ｒ２に介挿された電磁弁ＳＶが閉成される。これにより、第２径路Ｒ２への冷媒の供給が遮断され、前記下部エバポレータ４２による収納室１４の冷却が停止する。一方、前記第２径路Ｒ２と並列関係にある第１径路Ｒ１には、冷媒の循環が継続されているので、前記上部エバポレータ４０による収納室１４の冷却は継続される。前記下部エバポレータ４２による冷却を停止すると、両エバポレータ４０,４２により冷却することで温度下降していた収納室１４の温度降下は停滞し、該収納室１４の過冷却は防止される。また前記収納室１４は、前記上部エバポレータ４０による冷却が継続されているから、スライド扉３２,３２の開閉による外気の流入や収納室１４を画成しているガラスカバー３０、スライド扉３２,３２および断熱箱体１２からの微少な冷気の流出等に起因する収納室１４の温度上昇を抑制し、該収納室１４が一定温度になるよう補償することができる。更に、前記上部エバポレータ４０による連続冷却を実施することで、外気温の急激な上昇に対して緩衝作用を奏し、前記収納室１４が急激に温度上昇することなく、収納した物品の劣化を防止し得る。なお、前記上部エバポレータ４０による連続冷却を行なっても、収納室１４が過冷却状態に移行する虞れはない。
【００１８】
そして、外気温の変動またはスライド扉３２,３２の頻繁な開閉等によって、前記収納室１４の温度が設定温度以上に上昇すると、前記温度検知手段Ｔｈが設定温度より上昇したことを検知し、この温度検知に基づいて第２径路Ｒ２に介挿された電磁弁ＳＶが開放される。これにより、第２径路Ｒ２への冷媒の供給が再開され、前記下部エバポレータ４２による収納室１４の冷却が開始される。すなわち、前記収納室１４の温度が設定温度より高い場合は、両エバポレータ４０,４２で冷却することで、収納室１４を迅速に温度降下させることで、収納した物品の劣化を抑制し得ると共に、該収納室１４の温度が設定温度より低い場合は、下部エバポレータ４２を停止し、上部エバポレータ４０のみにより冷却することで、収納した物品の過冷却に起因する凍結等の不具合を回避し、収納室１４の温度を一定に維持し得る効率のよい冷却運転を実施できる。また、従来例で説明した定圧膨張弁による温度調節と比較して、前記温度検知手段Ｔｈによる収納室１４の温度検知に基づいて電磁弁ＳＶを開閉する構成であるので、収納室１４の温度変動に対して下部エバポレータ４２による温度調節は即応し得るから、外気温の変動に対する追従性が良好であって、収納した物品の過冷却や劣化等の弊害を回避し得る。
【００１９】
このように、前記冷却回路５０において、前記上部エバポレータ４０と下部エバポレータ４２とを並列に接続しているから、下部エバポレータ４２が接続された第２径路Ｒ２を電磁弁ＳＶで閉成しても、第１径路Ｒ１に接続した上部エバポレータ４０には、冷却運転中は常に冷媒が供給され続けられてる。すなわち、前記収納室１４の温度変化に関わりなく、前記上部エバポレータ４０は冷却状態が途切れることがないから、該上部エバポレータ４０に霜が付着していても、冷却運転中は霜が融解することなく、収納した物品に融解水が滴下して汚損させることはない。従って、従来例で説明した如く、前記上部エバポレータ４０の下方に水滴受け皿７０等の融解水を受容する手段を設ける必要がないので、前記収納室１４に収納した物品の展示性が損われることなく、該収納室１４の室内スペースを有効に利用できると共に、清掃も好適に実施できる。更に、前記下部エバポレータ４２による冷却を停止する時間帯を設けたので、前記収納室１４の湿度の過剰な低下が抑制されるから、収納した物品を乾燥し難くすることができる。
【００２０】
実施例の冷蔵ショーケース１１では、両エバポレータ４０,４２の上流側に、この両エバポレータ４０,４２と冷却装置との圧力差を保持する手段として膨張弁ＥＶ１,ＥＶ２を用いたが、これに限定されず、各エバポレータ４０,４２に対応して設けられるキャピラリーチューブを採用してもよい。また、第２径路Ｒ２の管路開閉手段として電磁弁ＳＶを用いたが、温度検知手段Ｔｈの温度検知に基づいて管路を開閉し得るものであれば、例えば電動弁を採用することもできる。そして、実施例の冷却回路５０についても、ドライヤ４４から膨張弁ＥＶ１,２に向かう冷媒配管４６と、両エバポレータ４０,４２から圧縮機ＣＭに向かう冷媒配管４６とを、ある区間だけ近接して熱交換させたり、または熱交換器を設けることで、ドライヤ４４から膨張弁ＥＶ１,２に向けて流れる液化冷媒を、エバポレータ４０,４２から流出してくる冷たい気化冷媒で冷却して、冷却回路の冷却効率を向上させることができる。
【図面の簡単な説明】
【００２１】
【図１】本発明の好適な実施例に係る冷蔵ショーケースを示す側断面図である。
【図２】実施例の冷蔵ショーケースの冷却回路を示す概略図である。
【図３】従来の冷蔵ショーケースを正面側から示す概略斜視図である。
【図４】図３のＡ−Ａ断面図である。
【図５】従来の冷蔵ショーケースの冷却回路を示す概略図である。
【符号の説明】
【００２２】
１４ 収納室，４０ 上部エバポレータ，４２ 下部エバポレータ，
ＣＭ 圧縮機(冷却系)，ＣＤ 凝縮器(冷却系)，ＥＶ１ 第１膨張弁(冷却系)，
ＥＶ２ 第２膨張弁(冷却系)，Ｒ２ 冷媒供給管路(第２径路)，
ＳＶ 電磁弁(管路開閉手段)，Ｔｈ 温度検知手段
【図１】
2005300108.tif 000003
【図２】
2005300108.tif 000004
【図３】
2005300108.tif 000005
【図４】
2005300108.tif 000006
【図５】
2005300108.tif 000007